(57)【特許請求の範囲】
【請求項１】
旧画像形成装置に設定されている旧設定情報及び前記旧画像形成装置の外部装置に関する情報のうちの少なくとも一方の情報に基づいて生成され、前記旧画像形成装置を識別するための旧個体識別情報を取得する第１取得手段と、
前記旧画像形成装置に対する入れ替え用の自機に設定されている新設定情報及び前記自機の外部装置に関する情報のうちの少なくとも一方の情報に基づいて、前記旧個体識別情報に含まれている情報と同一種類の情報を含み、前記自機を識別するための新個体識別情報を生成する生成手段と、
前記旧個体識別情報と前記新個体識別情報との照合の結果を出力する出力手段であって、前記旧個体識別情報と前記新個体識別情報とに含まれている情報の種類に応じた照合条件に従った照合の結果を出力する出力手段と、
を有し、
前記出力手段は、前記旧個体識別情報と前記新個体識別情報とのそれぞれに含まれる個々の情報の種類に応じて、前記旧個体識別情報と前記新個体識別情報との間で対応する情報同士が完全に一致するか否かを示す結果、又は、前記旧個体識別情報と前記新個体識別情報との間で対応する情報同士の合致度のいずれかを、照合の結果として、前記個々の情報毎に出力する、
画像形成装置。
【請求項２】
前記旧画像形成装置から前記自機に移行されるデータを取得する第２取得手段と、
前記旧個体識別情報と前記新個体識別情報との間で完全一致が要求される情報同士が一致しない場合に、前記第２取得手段による前記データの取得を禁止する制御手段と、を更に有し、
前記データは前記旧画像形成装置から管理装置に送信されて前記管理装置に格納され、
前記第２取得手段は、前記データの取得が禁止されていない場合、前記管理装置から前記データを取得する、
ことを特徴とする請求項１に記載の画像形成装置。
【請求項３】
コンピュータを、
旧画像形成装置に設定されている旧設定情報及び前記旧画像形成装置の外部装置に関する情報のうちの少なくとも一方の情報に基づいて生成され、前記旧画像形成装置を識別するための旧個体識別情報を取得する取得手段と、
前記旧画像形成装置に対する入れ替え用の新画像形成装置に設定されている新設定情報及び前記新画像形成装置の外部装置に関する情報のうちの少なくとも一方の情報に基づいて、前記旧個体識別情報に含まれている情報と同一種類の情報を含み、前記新画像形成装置を識別するための新個体識別情報を生成する生成手段と、
前記旧個体識別情報と前記新個体識別情報との照合の結果を出力する出力手段であって、前記旧個体識別情報と前記新個体識別情報とに含まれている情報の種類に応じた照合条件に従った照合の結果を出力する出力手段と、
として機能させ、
前記出力手段は、前記旧個体識別情報と前記新個体識別情報とのそれぞれに含まれる個々の情報の種類に応じて、前記旧個体識別情報と前記新個体識別情報との間で対応する情報同士が完全に一致するか否かを示す結果、又は、前記旧個体識別情報と前記新個体識別情報との間で対応する情報同士の合致度のいずれかを、照合の結果として、前記個々の情報毎に出力する、
プログラム。
【発明の詳細な説明】
【技術分野】
【０００１】
本発明は、画像形成装置及びプログラムに関する。
【背景技術】
【０００２】
画像形成装置（旧画像形成装置）を別の画像形成装置（新画像形成装置）に入れ替える場合において、旧画像形成装置の設定内容（例えば、宛先等のデータ）を新画像形成装置に引き継がせることがある。
【０００３】
なお、特許文献１には、一方のプリンタから設定値を取得し、当該設定値を設定するための設定コマンドを他方のプリンタに送信するシステムが開示されている。
【先行技術文献】
【特許文献】
【０００４】
【特許文献１】特開２０１０−１１７８４３号公報
【発明の概要】
【発明が解決しようとする課題】
【０００５】
ところで、旧画像形成装置と新画像形成装置との対応付けがなされていないと、旧画像形成装置の設定内容が、入れ替え対象の新画像形成装置ではない他の画像形成装置に間違って引き継がれてしまう問題が生じ得る。例えば、複数の旧画像形成装置と複数の新画像形成装置とを同時に入れ替える場合において、新旧の画像形成装置同士の対応付けがなされていない場合には、このような問題が生じ得る。しかし、新画像形成装置が設置場所に搬送されるまで新画像形成装置に関する情報が判明していない場合には、対応付けを事前に行うことは困難である。このような場合、例えば、新画像形成装置が設置されたときに、作業者自身が対応関係を確認しなければならず、引き継ぎ作業に手間がかかる問題が生じる。また、作業者の手作業によると、間違った対応付けがなされることも有り得る。
【０００６】
本発明の目的は、旧画像形成装置との対応関係を手作業で確認する場合と比べて、その対応関係の確認ミスを防止又は低減することである。
【課題を解決するための手段】
【０００７】
請求項１に係る発明は、旧画像形成装置に設定されている旧設定情報及び前記旧画像形成装置の外部装置に関する情報のうちの少なくとも一方の情報に基づいて生成され、前記旧画像形成装置を識別するための旧個体識別情報を取得する第１取得手段と、前記旧画像形成装置に対する入れ替え用の自機に設定されている新設定情報及び前記自機の外部装置に関する情報のうちの少なくとも一方の情報に基づいて、前記旧個体識別情報に含まれている情報と同一種類の情報を含み、前記自機を識別するための新個体識別情報を生成する生成手段と、前記旧個体識別情報と前記新個体識別情報との照合の結果を出力する出力手段であって、前記旧個体識別情報と前記新個体識別情報とに含まれている情報の種類に応じた照合条件に従った照合の結果を出力する出力手段と、を有し、前記出力手段は、前記旧個体識別情報と前記新個体識別情報とのそれぞれに含まれる個々の情報の種類に応じて、前記旧個体識別情報と前記新個体識別情報との間で対応する情報同士が完全に一致するか否かを示す結果、又は、前記旧個体識別情報と前記新個体識別情報との間で対応する情報同士の合致度のいずれかを、照合の結果として、前記個々の情報毎に出力する、画像形成装置である。
【００１０】
請求項２に係る発明は、前記旧画像形成装置から前記自機に移行されるデータを取得する第２取得手段と、前記旧個体識別情報と前記新個体識別情報との間で完全一致が要求される情報同士が一致しない場合に、前記第２取得手段による前記データの取得を禁止する制御手段と、を更に有し、前記データは前記旧画像形成装置から管理装置に送信されて前記管理装置に格納され、前記第２取得手段は、前記データの取得が禁止されていない場合、前記管理装置から前記データを取得する、ことを特徴とする請求項１に記載の画像形成装置である。
【００１１】
請求項３に係る発明は、コンピュータを、旧画像形成装置に設定されている旧設定情報及び前記旧画像形成装置の外部装置に関する情報のうちの少なくとも一方の情報に基づいて生成され、前記旧画像形成装置を識別するための旧個体識別情報を取得する取得手段と、前記旧画像形成装置に対する入れ替え用の新画像形成装置に設定されている新設定情報及び前記新画像形成装置の外部装置に関する情報のうちの少なくとも一方の情報に基づいて、前記旧個体識別情報に含まれている情報と同一種類の情報を含み、前記新画像形成装置を識別するための新個体識別情報を生成する生成手段と、前記旧個体識別情報と前記新個体識別情報との照合の結果を出力する出力手段であって、前記旧個体識別情報と前記新個体識別情報とに含まれている情報の種類に応じた照合条件に従った照合の結果を出力する出力手段と、として機能させ、前記出力手段は、前記旧個体識別情報と前記新個体識別情報とのそれぞれに含まれる個々の情報の種類に応じて、前記旧個体識別情報と前記新個体識別情報との間で対応する情報同士が完全に一致するか否かを示す結果、又は、前記旧個体識別情報と前記新個体識別情報との間で対応する情報同士の合致度のいずれかを、照合の結果として、前記個々の情報毎に出力する、プログラムである。
【発明の効果】
【００１２】
請求項１，３に係る発明によると、旧画像形成装置との対応関係を手作業で確認する場合と比べて、その対応関係の確認ミスが防止又は低減される。また、画像形成装置の利用環境に応じた照合がなされる。
【００１５】
請求項２に係る発明によると、完全一致が要求されている情報同士が一致しないときにデータを取得する場合と比べて、データの引き継ぎミスが防止又は低減される。
【図面の簡単な説明】
【００１６】
【図１】本発明の実施形態に係る画像形成システムを示すブロック図である。
【図２】画像形成装置を示すブロック図である。
【図３】管理装置を示すブロック図である。
【図４】表示部の画面の一例を示す図である。
【図５】データＩＤ及び個体識別情報の一例を示す図である。
【図６】表示部の画面の一例を示す図である。
【図７】旧個体識別情報の生成処理の一例を示すフローチャートである。
【図８】照合処理の一例を示すフローチャートである。
【図９】画像形成システムによる処理の一例を示すシーケンス図である。
【発明を実施するための形態】
【００１７】
図１には、本発明の実施形態に係る画像形成システムの一例が示されている。画像形成システムは、１又は複数の画像形成装置１０、管理装置４０及び端末装置６０を含む。画像形成装置１０、管理装置４０及び端末装置６０は、ネットワーク等の通信経路Ｎに接続されている。なお、図１に示す例では、３台の画像形成装置１０が通信経路Ｎに接続されているが、この台数は一例であり、画像形成装置１０の台数は、１台であってもよいし、４台以上であってもよい。また、端末装置６０が通信経路Ｎに接続されていなくてもよいし、複数の端末装置６０が通信経路Ｎに接続されていてもよい。他のネットワーク機器等が通信経路Ｎに接続されていてもよい。
【００１８】
画像形成装置１０は、例えば、プリンタ機能及びスキャン機能を備えている。また、画像形成装置１０は、コピー機能やファクシミリ機能を備えていてもよい。画像形成装置１０は、データを管理装置４０に送信する機能と、データを管理装置４０から受信する機能とを備えている。また、画像形成装置１０は、端末装置６０からデータを受信し、そのデータを格納する機能を備えていてもよい。管理装置４０は、画像形成装置１０からデータを受信し、そのデータを格納する機能を備えている。また、管理装置４０は、データを画像形成装置１０に送信する機能を備えている。端末装置６０は、例えば、パーソナルコンピュータ、スマートフォン又は携帯電話等の装置である。端末装置６０は、データを画像形成装置１０に送信する機能や、画像形成装置１０からデータを受信する機能を備えていてもよい。
【００１９】
図２には、画像形成装置１０の構成が示されている。記憶部１２は、ハードディスク等の記憶装置である。記憶部１２には、元データ１４及び設定データ１６が記憶されている。また、記憶部１２には、後述する画像読取部３４による読み取りによって生成された画像データや、端末装置６０から送信された画像データが記憶されてもよい。
【００２０】
元データ１４は、後述する個体識別情報を生成するためのデータである。元データ１４には、例えば、自身の画像形成装置１０（自機）のデバイス識別情報、ネットワーク設定情報、自機のＦＡＸ情報（自局のＦＡＸ番号）、等の情報が含まれる。デバイス識別情報には、例えば、画像形成装置１０の製品名、シリアル番号、名前、設置場所、連絡先、管理者情報、コメント、等の情報が含まれる。ネットワーク設定情報には、例えば、ＩＰアドレス、ゲートウェイアドレス、ドメイン名、ＤＮＳ／ＤＨＣＰサーバ情報、認証サーバ情報、等の情報が含まれる。
【００２１】
設定データ１６は、自機に格納されているデータである。設定データ１６には、例えば、ユーザ情報、認証情報、宛先情報、画像データの格納場所（フォルダやディレクトリ）に関する格納場所情報、等の情報が含まれる。ユーザ情報は、自身の画像形成装置１０のユーザの識別情報であり、例えば氏名やユーザＩＤである。認証情報には、例えば、ユーザ情報と暗証情報とが含まれる。暗証情報は、ユーザが本人であることを確認するための情報であり、例えばパスワードである。宛先情報には、例えば、ファクシミリの送り先の氏名や名称、送り先のＦＡＸ番号、電話番号、等の情報が含まれる。
【００２２】
ユーザインターフェース部（ＵＩ部）１８は、操作部と表示部とを含む。操作部は、操作パネル等の入力デバイスである。表示部は、液晶ディスプレイ等の表示デバイスである。
【００２３】
制御部２０は、画像形成装置１０の各部の動作を制御する。また、制御部２０は、個体識別情報生成部２２と、バックアップデータ生成部２４と、照合部２６と、取得部２８とを含む。
【００２４】
個体識別情報生成部２２は、自機の記憶部１２に記憶されている元データ１４（設定情報の一例に相当）及び外部装置の情報のうちの少なくとも一方に基づいて、自機を識別するための個体識別情報を生成する。外部装置の情報としては、例えば、外部サーバの情報（例えば管理装置４０の情報）や、サーバレスの環境においてクラスタを構成している他の画像形成装置１０のデバイス識別情報、同一ネットワーク内の他の画像形成装置１０のデバイス識別情報、端末装置６０の情報、等の情報が挙げられる。以下では、説明の便宜上、元データ１４に、外部装置の情報が含まれているものとする。例えば、個体識別情報生成部２２は、元データ１４の中から作業者によって選択された情報を、個体識別情報として採用してもよい。以下では、自身の画像形成装置１０が旧画像形成装置（入れ替えられる画像形成装置１０）に該当する場合、生成された個体識別情報を「旧個体識別情報」と称することとする。また、自身の画像形成装置１０が新画像形成装置（入れ替え用の画像形成装置１０）に該当する場合、生成された個体識別情報を「新個体識別情報」と称することとする。本実施形態では、新旧の画像形成装置１０において、同一種類の情報を用いて新旧の個体識別情報が生成される。
【００２５】
バックアップデータ生成部２４は、設定データ１６のバックアップデータを生成する。このバックアップデータは、設定データ１６そのものであってもよいし、設定データ１６に含まれる一部のデータであってもよい。例えば、作業者がＵＩ部１８の操作部を利用することにより、バックアップデータに含まれるデータが選択されてもよい。バックアップデータ生成部２４は旧画像形成装置にて利用される。このバックアップデータは、旧画像形成装置から新画像形成装置に引き継がれるデータである。
【００２６】
照合部２６は、自機の個体識別情報と他の画像形成装置１０の個体識別情報とを照合する。照合部２６は、例えば新画像形成装置にて利用される。この場合、照合部２６は、新画像形成装置である自機の新個体識別情報と、旧画像形成装置の旧個体識別情報とを照合する。照合部２６は、新旧の個体識別情報が完全に一致しているか否かを判定してもよいし、新旧の個体識別情報の合致度を演算してもよい。例えば、照合部２６は、旧個体識別情報と新個体識別情報とに含まれる情報の種類に応じて、完全一致の判定、又は、合致度の演算のいずれか一方を実行する。このとき、照合部２６は、旧個体識別情報と新個体識別情報とに含まれている個々の情報毎に照合を実行する。制御部２０は、照合結果をＵＩ部１８の表示部に表示させてもよい。例えば、制御部２０は、個々の情報毎の照合結果を表示部に表示させる。
【００２７】
取得部２８は新画像形成装置にて利用される。取得部２８は、照合部２６による照合結果に応じてバックアップデータを取得する。後述するように、バックアップデータが管理装置４０に格納されている場合、取得部２８は、管理装置４０からバックアップデータを取得する。
【００２８】
通信部３０は、通信経路Ｎに接続される通信インターフェースである。通信部３０は、他の装置からデータを受信する機能、及び、他の装置にデータを送信する機能を備えている。また、旧画像形成装置においては、バックアップデータ生成部２４によってバックアップデータが生成されると、通信部３０は、バックアップデータを管理装置４０に送信する。後述するように、管理装置４０はバックアップデータを格納する。また、管理装置４０は、バックアップデータを識別するためのデータ識別情報（例えばデータＩＤ）を、バックアップデータの送信元の旧画像形成装置に送信する。通信部３０は、そのデータ識別情報を受信し、制御部２０は、例えば、データ識別情報を記憶部１２に記憶させる。
【００２９】
画像形成部３２は、画像データに応じた画像を用紙等の記録媒体上に形成する。旧画像形成装置においては、管理装置４０から送信されたデータ識別情報と旧個体識別情報とが、画像形成部３２によって用紙に印刷されてもよい。以下、これらの情報が印刷された用紙を「照合用用紙」と称することとする。
【００３０】
画像読取部３４は、用紙等の記録媒体上に形成された画像を読み取る。これにより、画像データが生成される。新画像形成装置においては、上記の照合用用紙上の画像が、画像読取部３４によって読み取られてもよい。この場合、データ識別情報と旧個体識別情報とを表す照合用画像データが生成される。新画像形成装置の照合部２６は、照合用画像データに表されている旧個体識別情報と自機の新個体識別情報とを照合することになる。例えば、新画像形成装置の制御部２０は、照合用画像データに対してＯＣＲ（Optical Character Recognition）処理を実行することにより、旧個体識別情報を照合用画像データから読み取る。照合部２６は、その読み取られた旧個体識別情報と新個体識別情報とを照合する。
【００３１】
なお、旧画像形成装置の制御部２０は、データ識別情報及び旧個体識別情報を、用紙以外の記録媒体に記憶させてもよい。例えば、制御部２０は、それらの情報を、ＵＳＢメモリや光ディスク等の可搬性記録媒体に記憶させてもよい。または、制御部２０は、それらの情報を管理装置４０に送信し、それらの情報が管理装置４０に記憶されてもよい。このような場合、照合時において、照合部２６は、記録媒体や管理装置４０から旧個体識別情報を取得して照合を行うことになる。
【００３２】
図３には、管理装置４０の構成が示されている。通信部４２は、通信経路Ｎに接続される通信インターフェースである。通信部４２は、他の装置からデータを受信する機能、及び、他の装置にデータを送信する機能を備えている。例えば、通信部４２は、画像形成装置１０からバックアップデータを受信する機能、バックアップデータを画像形成装置１０に送信する機能、及び、バックアップデータのデータ識別情報を画像形成装置１０に送信する機能を備えている。
【００３３】
記憶部４４には、バックアップデータ４６が記憶されている。このバックアップデータ４６は、旧画像形成装置によって生成されて管理装置４０に送信されたデータである。
【００３４】
制御部４８は、管理装置４０の各部の動作を制御する。また、制御部４８は、識別情報生成部５０を含む。識別情報生成部５０は、バックアップデータ４６を識別するためのデータ識別情報（例えばデータＩＤ）を生成する。制御部４８は、バックアップデータとデータ識別情報とを対応付けて記憶部４４に記憶させる。
【００３５】
図４には、個体識別情報として使用される情報を選択するための画面の一例が示されている。制御部２０が、この画面７０をＵＩ部１８の表示部に表示させる。この画面７０は、例えば、旧画像形成装置のＵＩ部１８の表示部に表示される。符号７２は、元データ１４の内容を示している。画面７０には選択ボタン７４が表示されている。作業者がＵＩ部１８の操作部を利用して選択ボタン７４を押下することにより、個体識別情報として使用される情報が選択されるようになっている。図４に示す例では、「ネットワーク設定」、「ＦＡＸ設定」、及び、「他デバイスの識別情報」が選択されている（図中、選択ボタン７４が黒丸で示されている）。この場合、元データ１４の中のネットワーク設定情報、ＦＡＸ情報、及び、外部装置のデバイス識別情報が、個体識別情報生成部２２によって個体識別情報に含められる。なお、これらの例は一例に過ぎない。例えば、ネットワーク設定情報の中の個々の情報（ＩＰアドレスやゲートウェイアドレス等）が個別的に個体識別情報として選択されてもよい。
【００３６】
また、符号７６は、照合条件を選択する項目を示している。例えば、個々の情報毎に、「完全一致」又は「合致度計算」のいずれかが選択されるようになっている。選択ボタン７８は、「完全一致」を選択するためのボタンである。選択ボタン８０は、「合致度計算」を選択するためのボタンである。作業者がＵＩ部１８の操作部を利用して選択ボタン７８，８０を押下することにより、「完全一致」又は「合致度計算」のいずれかが選択されるようになっている。一例として、「ネットワーク設定」及び「ＦＡＸ設定」については「完全一致」が選択されている（図中、選択ボタン７８が黒丸で示されている）。また、「他デバイスの識別情報」については「合致度計算」が選択されている（図中、選択ボタン８０が黒丸で示されている）。照合時において、照合部２６は、選択された照合条件に従って、旧個体識別情報と新個体識別情報とを照合する。例えば「完全一致」が選択された場合、照合部２６は、旧個体識別情報と新個体識別情報との間で、「完全一致」が選択された情報同士が完全に一致するか否かを判定し、その判定結果を出力する。また、「合致度計算」が選択された場合、照合部２６は、旧個体識別情報と新個体識別情報との間で、「合致度計算」が選択された情報同士の合致度を演算し、その合致度を出力する。
【００３７】
なお、照合条件は選択されなくてもよい。この場合、照合条件が選択されなかった情報は、「完全一致」が選択されたものとして扱われる。また、照合条件が選択されないようになっていてもよい。この場合、画面７０には、符号７６で示す項目、及び、選択ボタン７８，８０は表示されない。
【００３８】
画面７０において、個体識別情報として使用される情報及び照合条件が選択され、作業者によって生成ボタン８２が押下されると、旧画像形成装置の個体識別情報生成部２２は、その選択に従って旧個体識別情報を生成する。旧画像形成装置の画像形成部３２は、データ識別情報と旧個体識別情報とを用紙に印刷する。また、照合条件が選択された場合、画像形成部３２は、各情報の照合条件を示す照合条件情報を用紙に印刷する。なお、用紙以外の記録媒体が使用される場合には、データ識別情報、旧個体識別情報及び照合条件情報が、その記録媒体に記憶される。また、個体識別情報として使用されている情報の種類（例えば、ＩＰアドレスやＦＡＸ番号等）を示す種類情報が、用紙に印刷されたり、記録媒体に記憶されたりしてもよい。
【００３９】
なお、個体識別情報として使用される情報は、予め決定されていてもよい。この場合、上記の画面７０は表示部に表示されない。または、デフォルトとして設定されている情報が画面７０に表示され、作業者によって、個体識別情報として使用される情報が追加又は削除されるようになっていてもよい。
【００４０】
ここで、個体識別情報及び照合条件の具体例１〜４について説明する。個体識別情報として使用される情報は、例えば、画像形成装置１０の運用状況やユーザのニーズ等に応じて選択されることが想定される。例えば、新旧の画像形成装置１０の間で完全に一致すると想定される情報、すなわち、新旧の画像形成装置１０において共通して使用され得る情報が、個体識別情報として使用されることが想定される。また、新旧の画像形成装置１０の間で、合致度が相対的に高くなると想定される情報が、個体識別情報として使用されることが想定される。つまり、新画像形成装置が入れ替え用の装置であると判定し得る情報が、個体識別情報として使用されることが想定される。
【００４１】
（具体例１）
旧画像形成装置に固定ＩＰアドレスが割り当てられており、新画像形成装置にも同一の固定ＩＰアドレスが割り当てられる予定である場合を想定する。この場合においてＩＰアドレスは固定値であるため、ＩＰアドレスが個体識別情報として使用されることが想定される。また、照合条件として、ＩＰアドレスの完全一致が要求されることが想定される。すなわち、新旧の画像形成装置１０の間で、固定ＩＰアドレスが完全に一致すれば、新画像形成装置は、旧画像形成装置の入れ替え用の装置であると推測される。一方、固定ＩＰアドレスが不一致の場合、新画像形成装置は、入れ替え用の装置ではないと推測される。このように、固定ＩＰアドレスは、新画像形成装置が旧画像形成装置の入れ替え用の装置であると判定し得る情報である。それ故、固定ＩＰアドレスが個体識別情報として使用され、かつ、照合条件として「完全一致」が選択されることが想定される。また、固定ＩＰアドレスが個体識別情報として使用されている場合においては、新旧の個体識別情報の間で固定ＩＰアドレスが完全に一致する場合のみ、制御部２０は、取得部２８によるバックアップデータの取得を許可してもよい。両方の固定ＩＰアドレスが完全に一致しない場合、制御部２０は、取得部２８によるバックアップデータの取得を禁止する。これにより、入れ替え用の正しい新画像形成装置によってバックアップデータが取得される。完全一致しない場合にも、バックアップデータの取得を許容する場合と比べて、バックアップデータの引き継ぎミスが防止又は低減される。
【００４２】
（具体例２）
画像形成装置１０のＩＰアドレスがＤＨＣＰ（Dynamic Host Configuration Protocol）によって割り当てられている場合を想定する。この場合、ＩＰアドレスは固定値ではないため、ＩＰアドレスは個体識別情報として使用されないことが想定される。すなわち、ＩＰアドレスが変動するため、このＩＰアドレスを個体識別情報として用いたとしても、新画像形成装置が、旧画像形成装置の入れ替え用の装置であるか否かを判定することは困難である。このように、このＩＰアドレスは、新画像形成装置が旧画像形成装置の入れ替え用の装置であると判定し得る情報ではない。それ故、このＩＰアドレスが個体識別情報として使用されないことが想定される。
【００４３】
（具体例３）
新旧の画像形成装置１０において同一のＦＡＸ番号（自局の番号）が使用される予定である場合、ＦＡＸ番号が個体識別情報として使用されることが想定される。また、照合条件として、ＦＡＸ番号の完全一致が要求されることが想定される。すなわち、新旧の画像形成装置１０の間で、ＦＡＸ番号が完全に一致すれば、新画像形成装置は、旧画像形成装置の入れ替え用の装置であると推測される。一方、ＦＡＸ番号が不一致の場合、新画像形成装置は、入れ替え用の装置ではないと推測される。このように、ＦＡＸ番号は、新画像形成装置が旧画像形成装置の入れ替え用の装置であると判定し得る情報である。それ故、ＦＡＸ番号が個体識別情報として使用され、かつ、照合条件として「完全一致」が選択されることが想定される。また、ＦＡＸ番号が個体識別情報として使用されている場合においては、新旧の個体識別情報の間でＦＡＸ番号が完全に一致する場合のみ、制御部２０は、取得部２８によるバックアップデータの取得を許可してもよい。両方のＦＡＸ番号が完全に一致しない場合、制御部２０は、取得部２８によるバックアップデータの取得を禁止する。これにより、入れ替え用の正しい新画像形成装置によってバックアップデータが取得される。完全一致しない場合にも、バックアップデータの取得を許容する場合と比べて、バックアップデータの引き継ぎミスが防止又は低減される。
【００４４】
（具体例４）
複数の画像形成装置１０を同時に入れ替える予定であり、各画像形成装置１０は、別々の部屋に設定される場合を想定する。また、各部屋のネットワークが、それぞれ異なるサブネットで運用されているものとする。この場合、サブネット内の周辺機器のＭＡＣアドレスが、個体識別情報として使用されることが想定される。すなわち、サブネット毎に、サブネット内の周辺機器が異なることが想定される。そのため、サブネット内の周辺機器のＭＡＣアドレスを個体識別情報として使用することにより、新画像形成装置が旧画像形成装置の入れ替え用の装置であると判定し得る。それ故、周辺機器のＭＡＣアドレスが、個体識別情報として使用されることが想定される。一方で、タイミングによっては、周辺機器の電源がＯＦＦになっていたり、周辺機器がサブネットから一時的に外されていたりする場合がある。従って、新画像形成装置が旧画像形成装置の入れ替え用の装置であったとしても、新旧の画像形成装置１０の間において、周辺機器のＭＡＣアドレスが完全に一致しない場合がある。従って、照合条件として、「合致度計算」が要求されることが想定される。照合時においては、照合部２６は、例えば、新旧の個体識別情報において、一致するＭＡＣアドレスの数や割合等を合致度として演算する。このとき、合致度（数や割合）が閾値以上となる場合に、照合部２６は、新旧の個体識別情報において、ＭＡＣアドレスが一致すると判定してもよい。もちろん、照合条件として、「完全一致」が選択されてもよい。この場合、照合部２６は、新旧の個体識別情報において、ＭＡＣアドレスが完全に一致するか否かを判定することになる。
【００４５】
上記の具体例は一例に過ぎず、画像形成装置１０の運用状況やユーザのニーズ等によって、別の情報が個体識別情報として使用され、また、別の照合条件が選択されてもよい。
【００４６】
図５には、照合用用紙の一例が示されている。この照合用用紙は、旧画像形成装置によって作成されたものであり、データ識別情報及び旧個体識別情報が印刷されている。データＩＤ「ｄａｔａ０００１」は、バックアップデータのデータ識別情報の一例である。旧個体識別情報として、例えば、ネットワーク設定情報、ＦＡＸ番号、及び、周辺デバイス情報（外部装置の情報）が、用紙上に印刷されている。なお、図４に示すように、照合条件が選択された場合には、各情報の照合条件を示す照合条件情報も、照合用用紙に印刷される。また、個体識別情報として使用されている情報の種類を示す種類情報も、照合用用紙に印刷されてもよい。
【００４７】
照合時において、図５に示す照合用用紙上の画像が、新画像形成装置の画像読取部３４によって読み取られる。新画像形成装置の制御部２０は、その読み取りにより生成された照合用画像データに対してＯＣＲ処理を施すことにより、データＩＤ「ｄａｔａ０００１」及び旧個体識別情報を照合用画像データから読み取る。照合条件情報や種類情報が照合用用紙に印刷されている場合、それらの情報も、照合用画像データから読み取られる。旧個体識別情報及び照合条件情報は照合処理に用いられ、データＩＤはバックアップデータの取得処理に用いられる。種類情報は、新個体識別情報の生成処理に用いられる。
【００４８】
図６には、照合結果を示す画面の一例が示されている。制御部２０は、この画面９０をＵＩ部１８の表示部に表示させる。この画面９０は、例えば、新画像形成装置のＵＩ部１８の表示部に表示される。図６に示す例では、個体識別情報として、ＩＰアドレス、ＦＡＸ番号、ゲートウェイのＩＰアドレス、及び、周辺デバイス情報（外部装置の情報）が使用されている。この場合、照合部２６は、旧個体識別情報と新個体識別情報との間で、ＩＰアドレス、ＦＡＸ番号、ゲートウェイのＩＰアドレス、及び、周辺デバイス情報のそれぞれについて、個々の情報に応じた照合条件に従って照合を行う。具体的には、照合部２６は、旧個体識別情報に含まれるＩＰアドレスと新個体識別情報に含まれるＩＰアドレスとを、ＩＰアドレスについての照合条件に従って照合する。他の情報についても同様である。例えば、ＩＰアドレス、ＦＡＸ番号、及び、ゲートウェイのＩＰアドレスについては、新旧の個体識別情報の間で、完全に一致しているか否かが判定される。周辺デバイス情報については、合致度が演算される。もちろん、これらは一例であり、他の情報が個体識別情報として使用されてもよい。
【００４９】
例えば、「ＩＰアドレス」については、「ＤＨＣＰであるため一致しません」という照合結果が得られている。すなわち、ＩＰアドレスが変動しているため、「一致しない」という照合結果が得られている。また、「ＦＡＸ番号」及び「ゲートウェイのＩＰアドレス」については、「同一です」という照合結果が得られている。また、「周辺デバイス情報」として、「同一デバイスが６台あります」という照合結果が得られている。この数は、例えば、新旧の個体識別情報において一致するＭＡＣアドレスの数を示している。もちろん、一致するＭＡＣアドレスの割合が照合部２６によって演算されて、表示部に表示されてもよい。なお、一致するＭＡＣアドレスの数や割合が閾値以上となる場合に、照合部２６は、新旧の個体識別情報において周辺デバイス情報が一致すると判定してもよい。
【００５０】
また、照合部２６は、照合結果（合致度）に基づいて、新画像形成装置が入れ替え用の装置に該当するか否かを判定してもよい。例えば、新旧の個体識別情報の間で一致する情報（項目）の数が閾値以上となる場合、照合部２６は、新画像形成装置が入れ替え用の装置に該当すると判定する。このとき、「周辺デバイス情報」のように合致度が演算された情報（項目）については、その合致度（数や割合）が閾値以上となる場合に、新旧の個体識別情報の間で一致していると判定される。図６に示す例では、新旧の個体識別情報において、「周辺デバイス情報」が一致していると判定されているものとする。一方、新旧の個体識別情報の間で一致する情報（項目）の数が閾値未満の場合、照合部２６は、新画像形成装置が入れ替え用の装置ではないと判定する。図６に示す例では、「ＦＡＸ番号」、「ゲートウェイのＩＰアドレス」及び「周辺デバイス情報」が、新旧の個体識別情報の間で一致していると判定されている。従って、照合部２６は、新画像形成装置が入れ替え用の装置に該当すると判定する。例えば、制御部２０は、表示部の画面９０に、「・・・入れ替え機器であると思われます。」等のようなメッセージを表示させる。
【００５１】
作業者は、図６に示されている照合結果を参照して、バックアップデータの取得の要否を判断する。画面９０には、例えば、取得を指示するためにボタン９２と、取得を拒否するためのボタン９４とが表示されている。作業者がＵＩ部１８の操作部を利用してボタン９２を押下すると、取得部２８はバックアップデータを取得する。例えば、作業者が、各情報の照合結果を参照し、新画像形成装置が入れ替え用の装置であると判断した場合、バックアップデータの取得を指示する。一方、作業者が、新画像形成装置が入れ替え用の装置ではないと判断した場合、バックアップデータの取得を指示しない。ボタン９４が押下されると、処理は終了する。
【００５２】
なお、新旧の個体識別情報の間で、ＦＡＸ番号が完全に一致する場合のみ、新画像形成装置によるバックアップデータの取得が許可されてもよい。図６には示されていないが、固定ＩＰアドレスについても同様である。両方のＦＡＸ番号（固定ＩＰアドレス）が一致する場合、例えば、新画像形成装置の制御部２０は、取得指示のためのボタン９２の押下を受け付けて、取得部２８にバックアップデータを取得させる。両方のＦＡＸ番号（固定ＩＰアドレス）が一致しない場合、制御部２０は、ボタン９２の押下を受け付けない。これにより、新画像形成装置によるバックアップデータの取得が禁止される。または、両方のＦＡＸ番号（固定ＩＰアドレス）が一致しない場合、制御部２０は、ボタン９２を画面９０内に表示させなくてもよい。
【００５３】
次に、図７に示すフローチャートを参照して、旧個体識別情報の生成処理の一例について説明する。この処理は、旧画像形成装置によって実行される。
【００５４】
まず、作業者が、旧画像形成装置のＵＩ部１８の操作部を利用して、旧個体識別情報の生成を指示する（Ｓ０１）。旧画像形成装置の個体識別情報生成部２２は、元データを収集する（Ｓ０２）。このとき、個体識別情報生成部２２は、元データ（自機の記憶部１２に記憶されている元データ１４と、通信経路Ｎに接続されている外部装置（例えば、他の画像形成装置１０、管理装置４０、端末装置６０）の情報）を収集する。次に、個体識別情報生成部２２は、元データに基づいて旧個体識別情報を生成する（Ｓ０３）。例えば、個体識別情報生成部２２は、作業者によって選択された情報を旧個体識別情報に含める。旧個体識別情報が生成されると、旧個体識別情報は出力される（Ｓ０４）。例えば、画像形成部３２によって、旧個体識別情報が用紙に印刷される。または、旧個体識別情報は、可搬性記録媒体に記憶されてもよい。
【００５５】
次に、図８に示すフローチャートを参照して、照合処理の一例について説明する。この処理は、新画像形成装置によって実行される。
【００５６】
まず、作業者が、新画像形成装置のＵＩ部１８の操作部を利用して、照合を指示する（Ｓ１０）。続けて、旧個体識別情報が新画像形成装置に入力される（Ｓ１１）。例えば、旧個体識別情報が用紙（照合用用紙）に印刷されている場合、新画像形成装置の画像読取部３４によって、その照合用用紙上の画像が読み取られる。これにより、旧個体識別情報を表す画像データが生成される。旧個体識別情報が可搬性記録媒体に記憶されている場合、その可搬性記録媒体を介して、新画像形成装置に旧個体識別情報が入力される。新画像形成装置の個体識別情報生成部２２は、元データ（自機の記憶部１２に記憶されている元データ１４と、通信経路Ｎに接続されている外部装置（例えば、他の画像形成装置１０、管理装置４０、端末装置６０）の情報）を収集する（Ｓ１２）。次に、個体識別情報生成部２２は、元データに基づいて、旧個体識別情報と同じ種類の情報を含む新個体識別情報を生成する（Ｓ１３）。そして、新画像形成装置の照合部２６は、旧個体識別情報と新個体識別情報とを照合し（Ｓ１４）、照合結果を出力する（Ｓ１５）。例えば、照合部２６は、新旧の個体識別情報に含まれている個々の情報毎に照合し、個々の情報毎の照合結果を出力する。作業者は、照合結果を参照して、バックアップデータの取得の有無を指示する。作業者によって取得指示が与えられると、新画像形成装置の取得部２８は、旧画像形成装置のバックアップデータを取得する（Ｓ１６）。このバックアップデータは、新画像形成装置の記憶部１２に、設定データ１６として記憶される（Ｓ１７）。
【００５７】
次に、図９に示すシーケンス図を参照して、新旧の画像形成装置１０を入れ替えるときの全体の処理の一例について説明する。なお、入れ替え前の段階では、新画像形成装置の記憶部１２には、設定データ１６は記憶されていない。
【００５８】
まず、作業者は、旧画像形成装置のＵＩ部１８の操作部を利用して、旧画像形成装置のバックアップデータの生成を指示する。旧画像形成装置のバックアップデータ生成部２４は、その指示に従って、旧画像形成装置の記憶部１２に記憶されている設定データ１６のバックアアップデータを生成する（Ｓ２０）。このとき、設定データ１６の一部又は全部がバックアップデータに含められる。旧画像形成装置の通信部３０は、バックアップデータを管理装置４０に送信する（Ｓ２１）。管理装置４０の制御部４８は、そのバックアップデータを記憶部４４に記憶させる（Ｓ２２）。また、識別情報生成部５０は、そのバックアップデータを識別するためのデータＩＤを生成する（Ｓ２３）。制御部４８は、バックアップデータにデータＩＤを対応付ける。管理装置４０の通信部４２は、そのデータＩＤを、バックアアップデータの送信元の旧画像形成装置に送信する（Ｓ２４）。
【００５９】
旧画像形成装置の個体識別情報生成部２２は、元データ（自機の元データ１４、外部装置の情報）を収集し（Ｓ２５）、その元データから旧個体識別情報を生成する（Ｓ２６）。例えば、旧画像形成装置の制御部２０は、図４に示す選択画面をＵＩ部１８の表示部に表示させる。作業者は、旧画像形成装置の運用状況やユーザのニーズ等を考慮しながら、旧個体識別情報として使用される情報を選択する。また、作業者は、各情報の照合条件を選択してもよい。個体識別情報生成部２２は、作業者によって選択された情報を旧個体識別情報に含める。そして、旧画像形成装置の画像形成部３２は、管理装置４０から送信されたデータＩＤと旧個体識別情報とを用紙に印刷する（Ｓ２７）。これにより、図５に示す照合用用紙が作成される。照合条件（「完全一致」又は「合致度計算」）が選択されている場合、その照合条件情報も照合用用紙に印刷される。また、旧個体識別情報として使用された情報の種類を示す種類情報も、照合用用紙に印刷されてもよい。なお、旧個体識別情報等は、用紙に印刷されずに、可搬性記録媒体に記憶されてもよい。
【００６０】
次に、作業者は、新画像形成装置まで移動し、照合用用紙の読み取りを新画像形成装置に指示する。新画像形成装置の画像読取部３４は、その指示に従って、照合用用紙上の画像を読み取る（Ｓ２８）。これにより、データＩＤ及び旧個体識別情報を表す照合用画像データが生成される。照合条件情報や種類情報も照合用用紙に印刷されている場合、その照合用画像データには、それらの情報も表される。例えば、制御部２０は、照合用画像データに対してＯＣＲ処理を実行することにより、データＩＤ、旧個体識別情報、照合条件情報及び種類情報を、照合用画像データから読み取る。なお、旧個体識別情報等が可搬性記録媒体に記憶されている場合、旧個体識別情報等は、可搬性記録媒体を介して新画像形成装置に入力される。次に、新画像形成装置の個体識別情報生成部２２は、元データ（自機の元データ１４、外部装置の情報）を収集し（Ｓ２９）、その元データから新個体識別情報を生成する（Ｓ３０）。このとき、個体識別情報生成部２２は、旧個体識別情報と同じ種類の情報を含む新個体識別情報を生成する。例えば、個体識別情報生成部２２は、照合用画像データに表されている旧個体識別情報と同じ種類の情報を含む新個体識別情報を生成する。または、個体識別情報生成部２２は、種類情報を参照し、その種類情報が示す種類の情報を含む新個体識別情報を生成してもよい。具体例を挙げて説明すると、旧個体識別情報に、旧画像形成装置の固定ＩＰアドレスが含まれている場合、新画像形成装置の個体識別情報生成部２２は、新画像形成装置の固定ＩＰアドレスを新個体識別情報に含める。そして、新画像形成装置の照合部２６は、旧個体識別情報と新個体識別情報とを照合し（Ｓ３１）、照合結果を出力する（Ｓ３２）。照合条件が指定されて照合条件情報が照合用画像データに表されている場合、照合部２６は、その照合条件に従った照合を行う。例えば、照合部２６は、新旧の個体識別情報に含まれている個々の情報毎の照合条件に従って、個々の情報毎に照合し、個々の情報毎の照合結果を出力する。制御部２０は、図６に示すように、照合結果をＵＩ部１８の表示部に表示させる。作業者がＵＩ部１８の操作部を利用してバックアップデータの取得を指示すると、新画像形成装置の取得部２８は、データＩＤを管理装置４０に送信する（Ｓ３３）。管理装置４０の制御部４８は、そのデータＩＤに対応するバックアップデータを記憶部４４から取得し、通信部４２は、そのバックアップデータをデータＩＤの送信元の新画像形成装置に送信する（Ｓ３４）。新画像形成装置の制御部２０は、管理装置４０から送信されたバックアップデータを、設定データ１６として記憶部１２に記憶させる（Ｓ３５）。
【００６１】
なお、取得部２８は、作業者の指示によらずに、照合結果に応じてバックアップデータを管理装置４０から取得してもよい。例えば、新旧の個体識別情報の間で一致する情報（項目）の数が閾値以上となる場合、取得部２８は、バックアップデータを管理装置４０から取得してもよい。
【００６２】
以上のように、旧画像形成装置にて生成された旧個体識別情報と、新画像形成装置にて生成された新個体識別情報とを照合することにより、手作業で対応関係を確認する場合と比べて、新旧の画像形成装置の対応付けが簡便となり、対応付けのミスが防止又は低減される。また、手作業で引き継ぎを行う場合と比べて、旧画像形成装置から新画像形成装置へのバックアップデータの移行も簡便となり、データの引き継ぎミスが防止又は低減される。例えば、宛先のデータをバックアップデータに含めることにより、その宛先のデータの移行が簡便となる。この移行を手作業で行う場合、作業者が、個々の宛先を手入力で新画像形成装置に入力することが想定される。この場合、入力ミスが発生することがあり、また、その入力に要する時間が増大する。これに対して本実施形態によると、手入力の場合と比べて、宛先データの移行が簡便となり、データ移行のミスが防止又は軽減され、その移行に要する時間も短縮される。
【００６３】
また、複数の画像形成装置１０を入れ替える場合において、複数の新画像形成装置の外形が同一又はほぼ同一の場合には、外形のみで個々の新画像形成装置を区別して、個々の旧画像形成装置に対応付けることは容易ではない。本実施形態では、そのような場合であっても、個体識別情報を利用して新旧の画像形成装置が照合されるので、個々の新画像形成装置が区別されて個々の旧画像形成装置に対応付けられる。
【００６４】
また、旧個体識別情報を用紙に印刷することにより、作業者によって、新旧の画像形成装置の対応関係が確認され得る。また、新画像形成装置では、その用紙を読み取ることにより、旧個体識別情報が新画像形成装置に入力される。従って、手作業で旧個体識別情報を入力する場合と比べて、その入力が簡便となる。
【００６５】
また、本実施形態では、個体識別情報として使用される個々の情報毎に、照合条件が選択されるようになっている。これにより、画像形成装置１０の運用状況やユーザのニーズ等に応じた照合処理が実行される。
【００６６】
（別の実施形態）
管理装置４０の制御部４８は、各バックアップデータのダウンロードの履歴を管理してもよい。例えば、新画像形成装置から送信されたデータＩＤに対応するバックアップデータがダウンロード済みである場合、制御部４８は、ダウンロード済みであることを示す情報を、その新画像形成装置に送信する。新画像形成装置の制御部２０は、ダウンロード済みであることを示す情報をＵＩ部１８の表示部に表示させる。これにより、データ移行処理に誤りがないか、作業者によって確認され得る。例えば、複数の新画像形成装置にて同一の照合用用紙上の画像が間違って読み取られた場合に、その処理に誤りがないか、作業者によって確認され得る。
【００６７】
また、管理装置４０の制御部４８は、各バックアップデータのダウンロードの回数をカウントしてもよい。この場合、制御部４８は、ダウンロード回数が閾値以上となったバックアップデータのダウンロードを禁止してもよい。
【００６８】
（更に別の実施形態）
複数の新画像形成装置にバックアップデータが移行されてもよい。この場合において、バックアップデータが、共通データと個別データとに分類されてもよい。共通データは、複数の新画像形成装置の全部に移行されるデータである。個別データは、個々の新画像形成装置に別々に移行されるデータである。具体例を挙げると、宛先のデータに、１００件の宛先が含まれており、１〜５０件目までの宛先のデータは共通データとして使用され、５１〜１００件目までの宛先データは個別データとして使用されることが想定される。例えば、新画像形成装置Ａには共通データのみが移行され、新画像形成装置Ｂには、共通データと個別データとが移行されることが想定される。この場合、管理装置４０の制御部４８が、バックアップデータを共通データと個別データとを分類してもよい。または、新画像形成装置毎の個別データが予め生成されて、管理装置４０の記憶部４４に記憶されてもよい。この場合、新個体識別情報と個別データとが対応付けられて記憶部４４に記憶される。管理装置４０の制御部４８は、新画像形成装置からデータＩＤを受けると、その新画像形成装置に対応する個別データと共通データとを、その新画像形成装置に送信する。
【００６９】
また、旧画像形成装置の通信部３０は、旧個体識別情報を管理装置４０に送信してもよい。管理装置４０の制御部４８は、データＩＤ、旧個体識別情報、及び、バックアップデータを対応付けて記憶部４４に記憶させる。そして、新画像形成装置からデータＩＤが管理装置４０に送信されると、管理装置４０の制御部４８は、そのデータＩＤに対応する旧個体識別情報を新画像形成装置に送信する。新画像形成装置の照合部２６は、管理装置４０から送信された旧個体識別情報と新個体識別情報とを照合する。このように、旧個体識別情報は、管理装置４０から新画像形成装置に送信されてもよい。
【００７０】
なお、照合処理は、管理装置４０によって実行されてもよい。この場合、新画像形成装置の通信部３０は、画像読取等によって入力された旧個体識別情報、自機の新個体識別情報、及び、画像読取等によって入力されたデータＩＤを、管理装置４０に送信する。管理装置４０の制御部４８は、新画像形成装置から送信された旧個体識別情報と新個体識別情報とを照合し、その照合結果を示す情報を新画像形成装置に送信する。新画像形成装置の制御部２０は、その照合結果をＵＩ部１８の表示部に表示させる。そして、作業者によってバックアップデータの取得が指示されると、その指示を示す情報は、新画像形成装置から管理装置４０に送信される。管理装置４０の通信部４２は、その指示に従って、バックアップデータを新画像形成装置に送信する。または、管理装置４０の通信部４２は、作業者の指示によらずに、照合の結果に応じてバックアップデータを新画像形成装置に送信してもよい。
【００７１】
また、個体識別情報は、管理装置４０によって生成されてもよい。この場合、新旧の画像形成装置１０は、自身が収集した元データを管理装置４０に送信する。管理装置４０の制御部４８は、その元データに基づいて新旧の個体識別情報を生成する。旧個体識別情報は、管理装置４０から旧画像形成装置に送信され、新個体識別情報は、管理装置４０から新画像形成装置に送信される。
【００７２】
上記の実施形態では、管理装置４０を介してバックアップデータが新画像形成装置に提供されているが、別の方法によって、バックアップデータが新画像形成装置に提供されてもよい。例えば、新画像形成装置と旧画像形成装置とが直接接続されてもよい。この場合、新画像形成装置の取得部２８は、照合結果に応じて、旧画像形成装置からバックアップデータを直接取得する。または、バックアップデータは、可搬性記録媒体に記憶されてもよい。この場合、新画像形成装置の取得部２８は、照合結果に応じて、新画像形成装置に接続されている可搬性記録媒体からバックアップデータを取得する。このような場合、管理装置４０は利用されず、バックアップデータは管理装置４０に送信されない。
【００７３】
本実施形態では、旧画像形成装置には、照合部２６及び取得部２８が設けられていなくてもよい。また、新画像形成装置には、バックアップデータ生成部２４が設けられていなくてもよい。
【００７４】
画像形成装置１０は、一例としてハードウェア資源とソフトウェアとの協働により実現される。具体的には、画像形成装置１０は、図示しないＣＰＵ等のプロセッサを備えている。当該プロセッサが、図示しない記憶装置に記憶されたプログラムを読み出して実行することにより、画像形成装置１０の各部の機能が実現される。上記プログラムは、ＣＤやＤＶＤ等の記憶媒体を経由して、又は、ネットワーク等の通信経路を経由して、記憶装置に記憶される。または、画像形成装置１０の各部は、例えばプロセッサや電子回路等のハードウェア資源により実現されてもよい。その実現においてメモリ等のデバイスが利用されてもよい。
【００７５】
また、管理装置４０は、一例としてハードウェア資源とソフトウェアとの協働により実現される。具体的には、管理装置４０は、図示しないＣＰＵ等のプロセッサを備えている。当該プロセッサが、図示しない記憶装置に記憶されたプログラムを読み出して実行することにより、管理装置４０の各部の機能が実現される。上記プログラムは、ＣＤやＤＶＤ等の記録媒体を経由して、又は、ネットワーク等の通信経路を経由して、記憶装置に記憶される。または、管理装置４０の各部は、例えばプロセッサや電子回路等のハードウェア資源により実現されてもよい。その実現においてメモリ等のデバイスが利用されてもよい。
【符号の説明】
【００７６】
１０  画像形成装置、１２，４４  記憶部、１４  元データ、１６  設定データ、１８  ユーザインターフェース部（ＵＩ部）、２０，４８  制御部、２２  個体識別情報生成部、２４  バックアップデータ生成部、２６  照合部、２８  取得部、３０，４２  通信部、３２  画像形成部、３４  画像読取部、４０  管理装置、４６  バックアップデータ、５０  識別情報生成部、６０  端末装置。
【図１】
0006492476.tif 000002
【図２】
0006492476.tif 000003
【図３】
0006492476.tif 000004
【図４】
0006492476.tif 000005
【図５】
0006492476.tif 000006
【図６】
0006492476.tif 000007
【図７】
0006492476.tif 000008
【図８】
0006492476.tif 000009
【図９】
0006492476.tif 000010